(57)【要約】【課題】雑誌などの本の合本製本を容易に行うことができる製本方法、製本用カバー、及びこれを用いた合本を提供する。【解決手段】本発明に係る製本方法は、製本対象となる二以上の本Ｍ１〜Ｍ４を、背Ｍ１３〜Ｍ４３を揃えた状態で重ねるステップと、各本の表表紙から裏表紙まで貫通する貫通孔５を、背の近傍に複数個形成し、当該貫通孔５に紐６を挿通して複数の本を締結するステップと、重ねられた本の表表紙側を覆う表表紙用カバー１を、当該表表紙の背の近傍に揺動自在に取り付けるステップと、重ねられた本の裏表紙側を覆う裏表紙用カバー２を、当該表表紙の背の近傍に揺動自在に取り付けるステップと、を備えている。【選択図】図１
2008168504.tif 000002
【特許請求の範囲】
【請求項１】
製本対象となる二以上の本を、背を揃えた状態で重ねるステップと、
重ねられた本の表表紙側を覆う表表紙用カバーを、当該表表紙に取り付けるステップと、
重ねられた本の裏表紙側を覆う裏表紙用カバーを、当該裏表紙に取り付けるステップと、
各本の表表紙から裏表紙まで貫通する貫通孔を、背の近傍に複数個形成し、当該貫通孔に線材からなる締結部材を挿通して複数の本を締結するステップと、
を備えている製本方法。
【請求項２】
製本対象となる一の本を準備するステップと、
本の表表紙側を覆う表表紙用カバーを、当該表表紙に取り付けるステップと、
本の裏表紙側を覆う裏表紙用カバーを、当該表表紙に取り付けるステップと、
を備えている製本方法。
【請求項３】
前記締結部材により複数の本を締結するステップでは、複数の本とともに前記カバーにも貫通孔を形成し、当該貫通孔に前記締結部材を挿通して前記各カバーと複数の本とを締結する、請求項１に記載の製本方法。
【請求項４】
前記カバー及び本の表表紙から裏表紙まで貫通する貫通孔を、背の近傍に複数個形成し、当該貫通孔に線材からなる締結部材を挿通して前記カバーと本を締結するステップをさらに備えている、請求項２に記載の製本方法。
【請求項５】
本の背に接着剤を塗布するステップをさらに備えている、請求項１から４のいずれかに記載の製本方法。
【請求項６】
前記表表紙用カバー及び裏表紙用カバーのうち、少なくとも表表紙用カバーが透明である、請求項１から５のいずれかに記載の製本方法。
【請求項７】
前記表表紙用カバー及び裏表紙用カバーにおける本との固定部分には、前記貫通孔及び締結部材を被覆する不透明の被覆部が設けられている、請求項１から６のいずれかに記載の製本方法。
【請求項８】
前記各カバーは、プラスチックシートで形成されており、
重ねられた本の天、地、及び小口の少なくとも一つを、前記カバーとともに、所望の幅だけ切断するステップをさらに備えている、請求項１から７のいずれかに記載の製本方法。
【請求項９】
本の製本に用いる製本用カバーであって、
本の表表紙側または裏表紙側を覆う透明で矩形状のカバー本体と、
前記カバー本体において本の背に沿う辺に設けられた不透明の被覆部と
を備えている、製本用カバー。
【請求項１０】
複数の本と、
前記複数の本の背の近傍に取り付けられ、当該複数の本を締結する締結部材と、
前記複数の本の表表紙側及び裏表紙側に取り付けられる請求項９に記載の一対の製本用カバーと、を備え、
前記各製本用カバーの被覆部は、前記締結部材を覆うように設けられている合本。
【請求項１１】
一の本と、
前記本の表表紙側及び裏表紙側に取り付けられる請求項９に記載の一対の製本用カバーと、
を備えている合本。
【請求項１２】
前記締結部材は、前記各カバーと複数の本とを締結する、請求項１０に記載の合本。
【請求項１３】
前記各カバーと本とを締結する締結部材をさらに備えている、請求項１１に記載の合本。
【発明の詳細な説明】
【技術分野】
【０００１】
本発明は、雑誌などの書籍を束ねて製本する際の製本方法、製本用カバー、及び合本に関する。
【背景技術】
【０００２】
図書館などで雑誌を保管する際には、型くずれの防止、保管のしやすさから合本製本と呼ばれる製本が行われている。この方法は、複数の雑誌を重ねて締結した後、表表紙、裏表紙、及び背表紙を取り付けることで、複数の雑誌を一冊に合本するものである。合本製本は、取り付ける表紙の質、厚さによって上製本、並製本に分けることができる。このような合本製本としては、例えば特許文献１に示されるものがある。
【特許文献１】特開昭６２−２５０９５号公報
【発明の開示】
【発明が解決しようとする課題】
【０００３】
しかしながら、上記のような合本製本では、工程に時間がかかるという問題がある。すなわち、上製本も並製本も、製本の際には、背表紙を切り取り、表表紙、裏表紙、及び背表紙を新たに取り付ける作業が必要になり、多くの工程を経なければならない。特に、この合本製本では、保管の便宜のため、合本されている雑誌の巻数、番号を背表紙に示しておく必要があり、合本ごとに異なる表示が必要なため、製本をより複雑にするという問題があった。また、上製本では、装丁用の材料が高価であるため、製本コストが高くなるという問題もある。
【０００４】
本発明は、上記問題を解決するためになされたものであり、雑誌などの本の合本製本を容易に行うことができる製本方法、製本用カバー、及びこれを用いた合本を提供することを目的とする。
【課題を解決するための手段】
【０００５】
本発明に係る第１の製本方法は、製本対象となる二以上の本を、背を揃えた状態で重ねるステップと、各本の表表紙から裏表紙まで貫通する貫通孔を、背の近傍に複数個形成し、当該貫通孔に線材からなる締結部材を挿通して複数の本を締結するステップと、重ねられた本の表表紙側を覆う表表紙用カバーを、当該表表紙の背の近傍に取り付けるステップと、重ねられた本の裏表紙側を覆う裏表紙用カバーを、当該表表紙の背の近傍に取り付けるステップと、を備えている。
【０００６】
この方法によれば、複数の本を合本製本する際に、重ねられた本を締結部材によって締結し、その表表紙と裏表紙に表表紙用カバーと裏表紙用カバーとを取り付けることで製本をしているため、製造工程が簡単である。特に、この製本方法では、表表紙と裏表紙にカバーを取り付けるため、本の背表紙は、露出した状態になる。このため、本の背表紙の表示をそのまま利用することができ、製本された本の内容を視認することができる。したがって、新たな背表紙を作成する必要がなく、製本コスト及び時間を大幅に減少することができる。さらに、この合本製本では、背表紙を切り取らず、両カバー及び締結部材を取り付けているだけであるので、元の本へのダメージを少なくすることができる。すなわち、両カバー及び締結部材を取り外すと、元の本に戻すことができるという利点がある。
【０００７】
なお、カバーの取付と、締結部材の取付は、どちらを先に行ってもよいが、例えば、カバーの取付を先に行った場合には、本とともにカバーにも貫通孔を形成し、当該貫通孔に締結部材を挿通して各カバーと本とを締結することが好ましい。こうすることで、カバーを本に強固に固定することができる。
【０００８】
また、カバーをプラスチックシートなどのシート状の部材で形成すると、合本された本の厚さが、元の本の厚さとほぼ同じになるので、嵩張らず、軽いという利点がある。なお、各カバーは、表表紙及び背表紙に貼り付けてもよいし、背の近傍に揺動自在に取り付けることもできる。
【０００９】
上記製本方法では、複数の本の合本製本を対象としているが、一冊の本を製本する場合にも適用することができる。すなわち、本発明に係る第２の製本方法は、製本対象となる一の本を準備するステップと、本の表表紙側を覆う表表紙用カバーを、当該表表紙に取り付けるステップと、本の裏表紙側を覆う裏表紙用カバーを、当該表表紙に取り付けるステップと、を備えている。この方法によれば、厚みの大きい雑誌なども上記のように製本することで、型くずれを防止することができる。この方法においては、カバー及び本の表表紙から裏表紙まで貫通する貫通孔を、背の近傍に複数個形成し、当該貫通孔に線材からなる締結部材を挿通してカバーと本を締結することが好ましい。これにより、カバーを本に強固に固定することができる。
【００１０】
上記製本方法においては、重ねた本の背に接着剤を塗布するステップをさらに備えることが好ましい。これにより、重ねた本の背表紙の間に接着剤が入り込み、複数の本を強固に固定することができる。また、接着剤により、背表紙がコーティングされるため、背表紙の保護という役割も果たす。
【００１１】
また、表表紙用カバー及び裏表紙用カバーのうち、少なくも表表紙用カバーを透明にすることができる。こうすることで、重ねられた本の表表紙を視認することができ、その本の内容を確認することができる。特に、定期刊行の雑誌等を合本製本する際には、表表紙を視認できれば、製本されている雑誌の内容を容易に確認することができる。
【００１２】
上記したカバーは、種々の構成をとることができるが、例えば、表表紙用カバー及び裏表紙用カバーにおける本との固定部分に、貫通孔及び締結部材を被覆する不透明の被覆部を設けることができる。この構成により、貫通孔及び締結部材を見えなくすることができるため、合本としての品質を向上することができる。
【００１３】
また、上記製本方法においては、各カバーを、プラスチックシートで形成し、重ねられた本の天、地、及び小口の少なくとも一つを、前記カバーとともに、切断して本を所望の大きさに成形するステップをさらに備えることができる。このステップにより、各本の天、地、及び小口が汚れていたり、傷んでいる場合に、これらを切り落とすことで、見た目をきれいにすることができる。特に、各カバーがプラスチックシートで形成されているため、切断が容易であり、しかも、切断工程を製本の最後に行うことができるため、有利である。なお、汚れなどを切り落とすほか、小口の角を丸めるようにカバーと本とを切断することもできる。
【００１４】
また、本発明は、製本対象となる複数の本の製本に用いる製本用カバーであって、上記目的を達成するためになされたものであり、重ねられた本の表表紙側または裏表紙側を覆う透明で矩形状の本体部と、前記カバー本体において本の背に沿う辺に設けられた不透明の被覆部とを備えている。ここで、カバーの本体部は、プラスチックなどの樹脂製シートで構成することが好ましく、こうすることで、紙などと比べ、汚れが付きにくく、耐水性がある。
【００１５】
また、本発明に係る第１の合本は、複数の本と、前記複数の本の背の近傍に取り付けられ、当該複数の本を締結する締結部材と、前記複数の本の表表紙側及び裏表紙側に取り付けられる上記一対の製本用カバーと、を備え、前記各製本用カバーの被覆部は、前記締結部材を覆うように設けられている。この合本においては、締結部材によって、各カバーと複数の本とを締結することもできる。
【００１６】
また、本発明に係る第２の合本は、一の本と、前記本の表表紙側及び裏表紙側に取り付けられる上述した一対の製本用カバーと、を備えている。この合本においては、各カバーと本とを締結する締結部材をさらに備えることが好ましい。
【発明の効果】
【００１７】
本発明によれば、雑誌などの本の合本製本を容易に行うことができる。
【発明を実施するための最良の形態】
【００１８】
以下、本発明に係る製本方法の一実施形態について図面を参照しつつ説明する。図１〜図３は、製本方法を説明する図である。以下の説明では、製本時における各本（雑誌）の表表紙側を前側、その反対側を後側と称することとする。
【００１９】
ここでは、月刊の雑誌を製本する場合について説明する。まず、図１（ａ）に示すように、４冊の雑誌Ｍ１〜Ｍ４を、背を揃えた状態で重ねる。次に、図１（ｂ）に示すように、重ねた雑誌Ｍ１〜Ｍ４の背Ｍ１３，Ｍ２３，Ｍ３３，Ｍ４３に、接着剤３を塗布し、４つの雑誌Ｍ１〜Ｍ４を仮固めする。この接着剤３は、例えば、乾燥時に透明になるものであれば、特には限定されない。これに続いて、図１（ｃ）に示すように、最前の雑誌Ｍ１の表表紙Ｍ１１、及び最後の雑誌Ｍ４の裏表紙Ｍ４２に、表表紙用カバー１及び裏表紙用カバー２をそれぞれ取り付ける。
【００２０】
図４は、各カバー１，２の斜視図である。両カバーは、同一構成であるので、以下では、図４（ａ）の表表紙用カバーについて説明する。同図に示すように、このカバー１は、矩形状に形成され、各雑誌の表紙とほぼ同じ大きさに形成されたＰＰなどの透明プラスチック板からなる本体部１１と、この本体部１１において、雑誌の背に沿う辺に沿って形成されたカンブリックなどの不透明の布地からなる被覆部１２とで構成されている。被覆部１２は、矩形状に形成されており、雑誌の背に沿って延びる２つの折り目が形成されている。この折り目によって被覆部１２は３つの小片１２１，１２２，１２３に分けられる。図４（ａ）の左側の小片１２１は本体部１１に接着され、右側の小片１２３は後述するように雑誌の背に沿って固定される。そして、この被覆部１２は、上述した２つの折り目によってＺ字形に折りたたまれるようになっている。
【００２１】
図１に戻って製本方法の説明を続ける。図１（ｃ）に示すように、上述したカバー１，２は、最前の雑誌Ｍ１の表表紙Ｍ１１、及び最後の雑誌Ｍ４１の裏表紙Ｍ４１２にそれぞれ接着剤で固定される。すなわち、各カバー１，２の左側の小片１２３，２２３を、雑誌の背に沿って表表紙Ｍ１１または裏表紙Ｍ４２に固定する。
【００２２】
続いて、図２（ａ）各雑誌Ｍ１〜Ｍ４の背Ｍ１３，Ｍ２３，Ｍ３３，Ｍ４３に沿って、表表紙から裏表紙を貫通する貫通孔５を４個形成する。この貫通孔５は、各カバー１，２の被覆部１２，２２も貫通するように形成する。そして、図２（ｂ）に示すように、４つの貫通孔５に、８の字状に交差するように紐（締結部材）６を通して緊結し、４冊の雑誌Ｍ１〜Ｍ４とカバー１，２とを固定する。これに続いて、図２（ｃ）に示すように、各カバー１，２の被覆部１２，２２を折りたたみ、中央の小片１２２，２２２が左側の小片１２３，２２３を覆うように接着する。これによって、貫通孔５及び紐６が被覆部１２，２２によって覆われ、外部からは見えなくなる。また、カバー１，２は、中央の小片１２２，２２２と右側の小片１２１，２２１との間の折り目によって、揺動自在に各表紙に取り付けられることになる。その後、図３（ａ）に示すように、必要に応じて、天Ｘ、地Ｙ、及び小口Ｚの少なくとも一つをカバー１，２とともに切断し、汚れ、傷みを切り落とす。最後に、カッターによって小口の角を丸く切断すると、図３（ｂ）に示すような合本が完成し、製本が完了する。
【００２３】
以上のように、本実施形態によれば、複数の雑誌を合本製本する際に、重ねられた雑誌Ｍ１〜Ｍ４を紐６によって締結し、その表表紙Ｍ１１と裏表紙Ｍ４２に表表紙用カバー１と裏表紙用カバー２とをそれぞれ取り付けることで製本をしているため、従来の合本製本と比べると製造工程が簡単である。したがって、従来の上製本や並製本に比べ、製造時間の短縮が可能となる。特に、この製本方法では、表表紙と裏表紙にカバー１，２を取り付けるため、雑誌の背表紙Ｍ１３〜Ｍ４３は、露出した状態になる。このため、各雑誌の背表紙をそのまま利用することができ、製本された本の内容を視認することができる。したがって、従来の製本のように新たな背表紙を作成する必要がなく、製本コスト及び時間を大幅に減少することができる。また、カバー１，２がシート状の部材で形成されているため、合本された雑誌の厚みが元の雑誌の厚みとほぼ同じにすることができ、これによって嵩張らず、しかも、軽くすることができる。
【００２４】
以上、本発明の一実施形態について説明したが、本発明は上記実施形態に限定されるものではなく、その趣旨を逸脱しない限りにおいて、種々の変更が可能である。例えば、上記実施形態では、各カバー１，２は、重ねられた本の最前の表表紙、及び最後の裏表紙に、Ｚ字形のヒンジによって揺動自在に取り付けられているが、これ以外の方法で揺動自在に取り付けられてもよい。また、各カバーを表表紙及び裏表紙に貼り付けてもよい。
【００２５】
締結部材は、上記のような紐６以外に、例えば、金属製の線材など貫通孔に挿通して締結できるような線材であれば、特には限定されない。
【００２６】
また、カバーは、必ずしも透明でなくてもよく、不透明なカバーに表示を付すこともできる。また、プラスチックシート以外でも紙によって構成することもできるが、プラスチックなどの樹脂製シートであれば、汚れが付きにくく、耐水性があるので丈夫である。
【００２７】
また、複数の本を合本製本する場合だけでなく、厚い一冊の本を上記のように製本することもでき、こうすることで、型くずれを防止することができる。この場合、カバーは、単に本の各表紙に取り付けるだけでもよいし、カバーを取り付けた後、背表紙に沿ってカバー及び本を貫通する貫通孔を形成し、カバーと本とを紐によって緊結することもできる。
【図面の簡単な説明】
【００２８】
【図１】本発明に係る製本方法の一実施形態の説明図である。
【図２】本発明に係る製本方法の一実施形態の説明図である。
【図３】本発明に係る製本方法の一実施形態の説明図である。
【図４】図１の製本方法に用いられる表表紙用カバー及び裏表紙用カバーの斜視図である。
【符号の説明】
【００２９】
Ｍ１〜Ｍ４    雑誌
Ｍ１１〜Ｍ４１  表表紙
Ｍ１２〜Ｍ４２  裏表紙
Ｍ１３〜Ｍ４３  背表紙
Ｘ  天
Ｙ  地
Ｚ  小口
１  表表紙用カバー
１１  本体部
１２  被覆部
２  裏表紙用カバー
２１  本体部
２２  被覆部
３  接着剤
５  貫通孔
６  紐（締結部材）
【図１】
2008168504.tif 000003
【図２】
2008168504.tif 000004
【図３】
2008168504.tif 000005
【図４】
2008168504.tif 000006